(57)【特許請求の範囲】
【請求項１】
可撓性を有する板状の素材で形成され、板表面が同一平面上に配置される鈎先端部、鈎弧状部および鈎基端部を備え、鈎先端部と鈎基端部との間が開口する鈎形状を有する一方側フックおよび他方側フックと、
一方側フックおよび他方側フックを、開口部分同士が重ならず、開口部分と鈎弧状部とが重なるように、相互に反転して重ねられた状態で、鈎基端部同士が接合されている接合部とを含み、
鈎弧状部が厚み方向に撓んで、一方側フックと他方側フックとの間が開閉可能であり、閉じた状態の一方側フックの鈎形状と他方側フックの鈎形状とで囲まれる空間に、長尺材を収容して支持または結束することを特徴とする長尺材支持または結束用二重フック。
【請求項２】
前記一方側フックの鈎形状と前記他方側フックの鈎形状とで囲まれる空間に、少なくともいずれかの鈎型状で周囲を支持され、中心部に径方向の切欠きを有する支持膜が設けられることを特徴とする請求項１記載の長尺材支持または結束用二重フック。
【請求項３】
前記一方側フックおよび前記他方側フックを前記鈎基端部で接合している組合せを複数個、鈎基端部で相互に接続されていることを特徴とする請求項１記載の長尺材支持または結束用二重フック。
【請求項４】
前記一方側フックおよび他方側フックを前記鈎基端部で接合している組合せの鈎基端部に、他の部材への支持部が設けられることを特徴とする請求項１〜３のいずれかに記載の長尺材支持または結束用二重フック。
【発明の詳細な説明】
【技術分野】
【０００１】
本発明は、線材やチューブなどの長尺材を支持したり、結束したりするために使用する長尺材支持または結束用二重フックに関する。
【背景技術】
【０００２】
従来から、線材やチューブなどの長尺材を結束するために結束バンドなどが使用されている。電気配線材を束ねて支持するために、結束バンドに支持部を設けると同様な構造のバンドクランプなども使用されている（たとえば、特許文献１参照）。
【先行技術文献】
【特許文献】
【０００３】
【特許文献１】特開２００９−１７１６４８号公報
【発明の概要】
【発明が解決しようとする課題】
【０００４】
結束バンドは、束ねた長尺材の周囲に巻付けられ、外れないように締付けて使用される。しかしながら、束ねた長尺材の一部についての交換や取外しが必要になると、締付けられた結束バンドの開閉に手間がかかる。開閉や、締付け、取外しを容易にするような結束具も種々考えられているけれども、構造が複雑化したりしてしまう。
【０００５】
本発明の目的は、簡単な構成で、支持や結束が容易で、取外しも容易に行うことができる長尺材支持または結束用二重フックを提供することである。
【課題を解決するための手段】
【０００６】
本発明は、可撓性を有する板状の素材で形成され、板表面が同一平面上に配置される鈎先端部、鈎弧状部および鈎基端部を備え、鈎先端部と鈎基端部との間が開口する鈎形状を有する一方側フックおよび他方側フックと、
一方側フックおよび他方側フックを、開口部分同士が重ならず、開口部分と鈎弧状部とが重なるように、相互に反転して重ねられた状態で、鈎基端部同士が接合されている接合部とを含み、
鈎弧状部が厚み方向に撓んで、一方側フックと他方側フックとの間が開閉可能であり、閉じた状態の一方側フックの鈎形状と他方側フックの鈎形状とで囲まれる空間に、長尺材を収容して支持または結束することを特徴とする長尺材支持または結束用二重フックである。
【０００７】
また本発明は、前記一方側フックの鈎形状と前記他方側フックの鈎形状とで囲まれる空間に、少なくともいずれかの鈎型状で周囲を支持され、中心部に径方向の切欠きを有する支持膜が設けられることを特徴とする。
【０００８】
また本発明は、前記一方側フックおよび前記他方側フックを前記鈎基端部で接合している組合せを複数個、鈎基端部で相互に接続されていることを特徴とする。
【０００９】
また本発明は、前記一方側フックおよび他方側フックを前記鈎基端部で接合している組合せの鈎基端部に、他の部材への支持部が設けられることを特徴とする。
【発明の効果】
【００１０】
本発明によれば、一方側フックと他方側フックとは、可撓性を有する板状の素材で形成され、板表面が同一平面上に配置される鈎先端部、鈎弧状部および鈎基端部を備える。一方側フックおよび他方側フックは、鈎先端部と鈎基端部との間が開口する鈎形状を有し、開口部分同士が重ならず、開口部分と鈎弧状部とが重なるような、開口する方向が逆の状態で、接合部によって鈎基端部同士が接合している。一方側フックと他方側フックとの間が、鈎弧状部の撓みで開閉可能であるので、開けば、一方側フックと他方側フックとで別々に線材やチューブなどの長尺材を長さの途中から収容することができる。長尺材を収容した後で、一方側フックと他方側フックとの間を閉じれば、長尺材を外れないように収容し、支持したり結束したりすることができる。たとえ振れて、一方側フックから長尺材が外れても、他方側フックからは外れないので、振れが戻れば、両方のフックで収容する状態に復帰することができる。長尺材は、一方側フックと他方側フックとの間を開けば、容易に取外すこともできる。一方側フックと他方側フックとを、相互に反転した向きで重ねればよいので、簡単な構成で、支持や結束が容易で、結束された長尺材の一部を追加したり取外したりすることも容易に行うことができる長尺材支持または結束用二重フックを実現することができる。
【００１１】
また本発明によれば、一方側フックと他方側フックの鈎弧状部の内部に、比較的細い長尺材を収容するような場合でも、切欠きを設ける支持膜でずれにくいように収容することができる。
【００１２】
また本発明によれば、ワイヤハーネスなどで、多くの線材などの結束を容易に行うことができる。
【００１３】
また本発明によれば、長尺材を他の部材を利用して支持したり、支持を解消させたりすることを、容易に行うことができる。
【図面の簡単な説明】
【００１４】
【図１】図１は、本発明の一実施例である長尺材支持または結束用二重フック１０の主要部分の構成を簡略化して示す正面図、および線材１４などを結束状態１５で収容する状態を示す図である。
【図２】図２は、図１の二重フック１０の展開図である。
【図３】図３は、図１の長尺材支持または結束用二重フック１０で多数の線材１４の束１５を結束する場合の構成を示す正面図、ならびに複数の束１５を収容している状態を示す正面図である。
【図４】図４は、本発明の他の実施例である長尺材支持または結束用２０の構成を示す正面図および右側面断面図、束１５を支持している状態を示す正面図、ならびに支持膜２１の正面図である。
【発明を実施するための形態】
【００１５】
以下、図１、図２および図３で、本発明の一実施例としての長尺材支持または結束用二重フック１０について説明する。また、図４では、本発明の他の実施例としての長尺材支持または結束用二重フック２０について説明する。各図の説明で、先に説明してある部分と対応する部分に同一の参照符を付し、重複する説明を省略する場合がある。
【実施例１】
【００１６】
図１は、本発明の一実施例である長尺材支持または結束用二重フック１０を配線用電線などの線材１４を結束する状態の主要部分の構成を（ａ）に、線材１４を結束する途中の状態を（ｂ）に、それぞれ示す。（ａ）に示すように、長尺材支持または結束用二重フック１０では、一方側フックである紙面の手前側のフック１１と、他方側フックである紙面の奥側のフック１２とが横方向に関して、相互に反転した状態で重ねられている。フック１１，１２は、紙面に垂直な方向が厚みとなる板状の素材で形成されている。材料としては、金属、プラスチック、紙など、種々のものを使用することができる。フック１１，１２は、鈎状であり、鈎先端部１１ａ，１２ａと鈎基端部１１ｂ，１２ｂとの間がそれぞれ開口している。開口の奥は、鈎先端部１１ａ，１２ａと鈎基端部１１ｂ，１２ｂとの間を弧状に連結する鈎弧状部１１ｃ，１２ｃとなっている。ただし、鈎長尺材支持または結束用二重フック１０として、相互に反転して重ねられている状態では、開口部分同士は重ならないで、必ず、開口部分と鈎弧状部１１ｃ、１２ｃの部分とが重なる。したがって、長尺材支持または結束用二重フック１０は、簡単な構成でも、鈎弧状部１１ｃ，１２ｃの撓みで、線材１４の束１５を容易に収容することができる。また、束１５を収容している状態から、鈎弧状部１１ｃ，１２ｃを撓ませて、容易に取外すこともできる。内部に収容している線材１４や束１５からは鈎弧状部１１ｃ，１２ｃを厚み方向に撓ませる力はかかりにくいので、収容した線材１４や束１５は外れにくくなる。
【００１７】
フック１１，１２は、鈎基端部１１ｂ，１２ｂで接合され、接合部１３が生じている。接合部１３には、同様な長尺材支持または結束用二重フック１０や、他の部材への支持部など連結したり、接続したりして使用することができる。なお、フック１１，１２の鈎形平面形状は、基本的に鈎先端部１１ａ，１２ａと鈎基端部１１ｂ，１２ｂとの間が開口し、開口の奥が鈎弧状部１１ｃ，１２ｃとして連結されていればよく、形状自体は、円弧状ばかりではなく、楕円弧状などの他の曲線形状、角形形状など、種々変更しうる。
【００１８】
（ｂ）に示すように、長尺材支持または結束用二重フック１０では、たとえばフック１１，１２が板状であるので鈎弧状部１１ｃ，１２ｃが可撓性を有し、その撓みで厚み方向に開くことができる。開いている状態で、各フック１１，１２をそれぞれ線材１４の束１５に掛ければ、フック１１，１２を閉じた後で、（ａ）に示すような結束状態を容易に実現することができる。また、フック１１，１２を閉じて線材１４の束１５に掛っている状態から線材１４を外すためには、同様にフック１１，１２間を開き、各フック１１，１２からそれぞれ線材１４を外すようにすればよい。
【００１９】
なお、線材１４としては、中実の線や棒の材料ばかりではなく、中空の管やチューブも含む。さらに、線材１４としては、チューブ内に発光体が間隔をあけて収容される工事用警告灯なども含めることができる。
【００２０】
図２は、図１の長尺材支持または結束用二重フック１０を展開した状態で示す。フック１１，１２間の開閉を容易にするために、鈎弧状部１１ｃ，１２ｃのうちの少なくとも一方、たとえば鈎弧状部１１ｃで、閉じる状態で内側となる表面に部分的な膨らみ１１ｄなどで厚みを設けることもできる。膨らみ１１ｄは、鈎先端部１１ａに設けることもできる。フック１１，１２間を閉じると膨らみ１１ｄ付近には隙間が生じるので、この隙間からフック１１，１２間を容易に開くことができる。
【００２１】
フック１１内へ導入される長尺材は、開口径Ｄａを通過して、鈎弧状径Ｄｂの鈎形状内部に留まる。フック１２側も同様となる。開口径Ｄａよりも鈎弧状径Ｄｂの方が大きい。ただし、図１（ａ）に示すように、複数の線材１４の束１５を結束する場合、図２（ａ）の開口径Ｄａに入る範囲に分けて線材１４を導入し、結果的に束１５として鈎弧状径Ｄｂに近い径の状態で結束することができる。
【００２２】
なお、図２に示すフック１１，１２は、鈎基端部１１ｂ，１２ｂ同士が連結される状態で薄板状に形成される。図１の長尺材支持または結束用二重フック１０は、図２のフック１１，１２を、鈎記端部１１ｂ，１２ｂ間で折り曲げて、鈎記端部１１ｂ，１２ｂが重なる部分を接合して接合部１３を形成している。しかしながら、樹脂材料などを用いて、長尺材支持または結束用二重フック１０を一体的に形成することもできる。また、フック１１，１２は別々に分離した状態から接合してもよい。この場合、フック１１，１２は、実質的に同一の部材を使用することができる。
【００２３】
図３は、（ａ）で一つの長尺材支持または結束用二重フック１０で線材１４の束１５を結束している状態、（ｂ）で複数、たとえば三つの長尺材支持または結束用二重フック１０で多数の線材１４を三つの束１５に分けて結束している状態をそれぞれ示す。（ｂ）の三つの長尺材支持または結束用二重フック１０は、接合部１３同士で連結している。連結する長尺材支持または結束用二重フック１０は、異なる形状のものを組合せることもできる。連結部分は、接合して固定しても、弾性変形を利用するスナップなどで取外し可能にしてもよい。
【実施例２】
【００２４】
図４は、本発明の他の実施例である長尺材支持または結束用二重フック２０で比較的少数の線材１４の束１５を支持する状態を示す。線材１４は、たとえばワイヤハーネスの電線であり、束ねられている途中からでも、フック１１，１２間を開けば容易に結束することができる。また、途中で線材１４の一部を外したり、さらに他の線材１４を追加したりすることも容易である。長尺材としては、電気配線材などの線材１４ばかりではなく、棒状のもの、管状のものなど、種々のものに適用することができる。鈎基端部１１ｂ，１２ｂ側は、自由な状態とすることもでき、また、他の部分に接続して支持を受けるようにすることもできる。これらは、図１〜図３に示す長尺材支持または結束用二重フック１０と同様である。
【００２５】
図４（ａ）に示すように、本実施例の長尺材支持または結束用二重フック２０は、支持する線材１４が比較的少数または細くて、フック１１，１２の内部との間に大きな隙間があっても線材１４の長さ方向にずれないように、支持膜２１を有する。支持膜２１は、フック１１，１２の一方、たとえばフック１１の鈎形状の部分で周囲を支持され、その内部に張られる。支持膜２１の内側は、中央付近から放射状に伸びる複数の切欠き２２を有する。切欠き２２のうちの少なくとも１つの切欠き２２ａは、フック１１の開口部分で、支持膜２１の外周まで達するように形成され、切欠き２２ａを介して、線材１４の束１５などの長尺材を支持膜２１の中央付近まで導入して収容することができる。少数の線材１４をフック１１，１２の内部に収容すると、支持膜２１のうちで放射状の切欠き２２間の部分の少なくとも一部が外方に押しのけられる。押しのけられた部分で、収容する線材１４を押えるので、長尺材支持または結束用二重フック２０が線材１４の長さ方向に外れにくくすることができる。支持膜２１は複数枚、たとえばフック１１で周囲を支持されるものとともに、フック１２に周囲を支持されるものを使用することができる。支持膜２１が複数枚になれば、線材１４の長さ方向へのずれにくさが増大する。
【００２６】
図４（ｂ）に、図４（ａ）の切断面線Ｂ−Ｂから見た断面で示すように、支持膜２１は、鈎弧状部１１ｃ，１２ｃ間に配置され、開口部を除いて鈎弧状部１１ｃに周囲を接合されて支持される。なお、鈎基端部１１ｂ，１２ｂは、全体的に接合面１３ａとなり、接合部１３を形成している。図４（ｃ）に示すように、線材１４は切欠き２２ａを経て鈎形状の内部に収容される。なお、図４（ｄ）は、支持膜２１の形状を示す。
【産業上の利用可能性】
【００２７】
次の表１で、本発明の長尺材支持または結束用二重フック１０，２０と、二重リングおよび従来の結束バンドとを比較して示す。
【表１】
0005819626.tif 000002
【００２８】
長尺材の途中とは、端部を除く部分を意味する。二重リングは、線材などで形成され、端部であれば、リングの内径に近い径の長尺材を収容することができる。ただし、長尺材を、長さ方向の途中で収容する場合、二重リングは弾性変形でリング間が少し開くだけである。このため、二重リングには、リングの内径に比較して、開く間隔を通じて導入可能な小径の長尺材しか収容することができない。結束バンドは、長尺材の周囲に巻き掛けて使用するので、周長に対応する径の長尺材などを収容することができる。
【００２９】
本発明の長尺材支持または結束用二重フック１０，２０は、結束バンドのように長尺材を周囲から締付けて固く固定して使用する目的ではなく、緩い挿通状態で支持したり、複数を束ねて整理したりする目的で好適に使用することができる。たとえば、工事現場などでは、一時的に使用するコード、ケーブル、チューブ、ホース、パイプ、棒などの長尺材を、ネットフェンスなどに掛けて、地面から浮かせて支持しておくことを、簡単作業で行うことができる。屋内での長尺材の整理などで、必要に応じて行う支持、束ね、一部の追加や除去を伴う一時的ではない使用目的にも適用することができる。
【符号の説明】
【００３０】
１０，２０  長尺材支持または結束用二重フック
１１，１２  フック
１１ａ，１２ａ  鈎先端部
１１ｂ，１２ｂ  鈎基端部
１１ｃ，１２ｃ  鈎弧状部
１１ｄ，１２ｄ  膨らみ
１３  接合部
１４  線材
１５  束
２１  支持膜
２２  切欠き
【図１】
0005819626.tif 000003
【図２】
0005819626.tif 000004
【図３】
0005819626.tif 000005
【図４】
0005819626.tif 000006